(57)【要約】【課題】発光部からの光を効率良く出射でき、かつコントラストの低下を低減可能な表示素子を提供すること。【解決手段】基準平面ＳＳ上に設けられ、光を供給する発光部１２０Ｒ、１２０Ｇ、１２０Ｂと、発光部１２０Ｒ、１２０Ｇ、１２０Ｂの周辺に反射面２０５を備え、反射面２０５に入射する発光部１２０Ｒ、１２０Ｇ、１２０Ｂからの光を出射側へ反射することで、発光部１２０Ｒ、１２０Ｇ、１２０Ｂからの光を角度変換する角度変換部１１０と、を有し、反射面２０５は、所定の一方向に長手方向を有する。【選択図】      図３
2006126311.tif 000002
【特許請求の範囲】
【請求項１】
基準平面上に設けられ、光を供給する発光部と、
前記発光部の周辺に反射面を備え、前記反射面に入射する前記発光部からの光を出射側へ反射することで、前記発光部からの光を角度変換する角度変換部と、を有し、
前記反射面は、所定の一方向に長手方向を有することを特徴とする表示素子。
【請求項２】
前記反射面は、金属部材で構成され、
前記角度変換部は、前記反射面における反射により前記発光部からの光を角度変換することを特徴とする請求項１に記載の表示素子。
【請求項３】
前記反射面は、内部に屈折率が約１である媒質、又は前記角度変換部を構成する部材の屈折率より小さい屈折率の媒質を有する構造体を形成し、
前記角度変換部は、前記反射面における全反射により前記発光部からの光を角度変換することを特徴とする請求項１に記載の表示素子。
【請求項４】
前記反射面は、前記発光部同士を仕切る仕切部の上に設けられることを特徴とする請求項１〜３のいずれか一項に記載の表示素子。
【請求項５】
前記所定の一方向は、鉛直方向であることを特徴とする請求項１〜４のいずれか一項に記載の表示素子。
【請求項６】
前記反射面と前記基準平面とがなす角度をθ（ラジアン）、前記角度変換部を構成する部材の屈折率をｎ、とすると、以下の条件式を満足することを特徴とする請求項１〜５のいずれか一項に記載の表示素子。
｛ａｓｉｎ（１／ｎ）｝／２＋π／４＜θ＜π／２
【請求項７】
前記発光部は、前記出射側から前記発光部の方向へ進行する光の反射率が所定値以下である低反射部を有することを特徴とする請求項１〜６のいずれか一項に記載の表示素子。
【請求項８】
前記角度変換部の前記出射側に、特定の振動方向の偏光光を選択的に透過する偏光板を有することを特徴とする請求項１〜７のいずれか一項に記載の表示素子。
【請求項９】
前記角度変換部は、前記反射面の前記出射側の位置に、光を吸収する光吸収部を有することを特徴とする請求項１〜８のいずれか一項に記載の表示素子。
【発明の詳細な説明】
【技術分野】
【０００１】
本発明は、表示素子、特に、有機ＥＬ（Ｅｌｅｃｔｒｏｌｕｍｉｎｅｓｃｅｎｃｅ）素子の技術に関する。
【背景技術】
【０００２】
従来、有機ＥＬ素子を用いる有機ＥＬディスプレイが知られている。有機ＥＬ素子を構成する各層は極めて薄いことから、通常、有機ＥＬディスプレイには、固定及び補強のための基板が設けられている。有機ＥＬ素子の発光部からの光は、有機ＥＬディスプレイの出射側の基板を透過した後外部へ出射する。このとき発光部からの光のうちの一部の光は、出射側の基板の界面で全反射することで、有機ＥＬディスプレイの内部に取り込まれてしまう場合がある。そこで、有機ＥＬディスプレイでは、発光部からの光を、出射面に対して臨界角以下の角度で入射するように角度変換する技術が提案されている。出射面に対して臨界角以下の角度で発光部からの光を入射させることにより、有機ＥＬディスプレイは、効率良く光を供給することが可能となる。有機ＥＬディスプレイにおいて発光部からの光を角度変換する技術としては、例えば、特許文献１に提案されているものがある。
【０００３】
【特許文献１】特開平１０−１８９２５１号公報
【発明の開示】
【発明が解決しようとする課題】
【０００４】
しかしながら、特許文献１の技術によると、反射面に外光が入射する環境下では、反射面に入射した外光が観賞者の方向へ反射することによって画像のコントラストが低下してしまう場合がある。このように、従来の技術では、発光部からの光を効率良く供給し、かつコントラストの低下を低減することが困難であるため問題である。本発明は、上述の問題に鑑みてなされたものであり、発光部からの光を効率良く出射でき、かつコントラストの低下を低減可能な表示素子を提供することを目的とする。
【課題を解決するための手段】
【０００５】
上述した課題を解決し、目的を達成するために、本発明によれば、基準平面上に設けられ、光を供給する発光部と、発光部の周辺に反射面を備え、反射面に入射する発光部からの光を出射側へ反射することで、発光部からの光を角度変換する角度変換部と、を有し、反射面は、所定の一方向に長手方向を有することを特徴とする表示素子を提供することができる。
【０００６】
照明器具からの照明光や日射光等の外光は、表示装置に対して所定の向きで進行する場合が考えられる。所定の一方向に長手方向を有する反射面を表示素子に設けることで、表示装置は、反射面の長手方向と外光の進行方向とが合うように配置を決定する。反射面の長手方向を外光の進行方向に合わせると、反射面は、外光のうち所定の一方向の成分について入射角と略同一の反射角で外光を反射する。所定の一方向に長手方向を有する反射面を設けることで、所定の向きで進行する外光について、反射する方向をコントロールすることができる。このようにして、観賞者の方向とは異なる方向へ外光を反射し、画像のコントラストの低下を低減できる。また、角度変換部を設けることで、発光部からの光を、出射面に対して臨界角以下の角度で入射するように角度変換する。発光部からの光を角度変換することで、出射面での全反射によって発光部からの光が表示素子に取り込まれることを防ぎ、発光部からの光を効率良く出射できる。これにより、発光部からの光を効率良く出射でき、かつコントラストの低下を低減可能な表示素子を得られる。
【０００７】
また、本発明の好ましい態様によれば、反射面は、金属部材で構成され、角度変換部は、反射面における反射により発光部からの光を角度変換することが望ましい。反射面を金属部材で構成することにより、反射面は、発光部からの光を反射することができる。これにより、発光部からの光を出射側へ反射することで、発光部からの光を角度変換することができる。
【０００８】
また、本発明の好ましい態様によれば、反射面は、内部に屈折率が約１である媒質、又は角度変換部を構成する部材の屈折率より小さい屈折率の媒質を有する構造体を形成し、角度変換部は、反射面における全反射により発光部からの光を角度変換することが望ましい。屈折率が約１である媒質、又は角度変換部を構成する部材の屈折率より小さい屈折率の媒質で構造体の内部を満たすことで、反射面には、角度変換部を構成する部材と、角度変換部の内部を構成する媒質との、屈折率が互いに異なる媒質同士による界面が形成される。反射面は、互いに屈折率が異なる層同士の界面を形成することで、発光部からの光を全反射することができる。これにより、発光部からの光を出射側へ反射することで、発光部からの光を角度変換することができる。
【０００９】
また、本発明の好ましい態様としては、反射面は、発光部同士を仕切る仕切部の上に設けられることが望ましい。仕切部の上に反射面を設けることにより、反射面が発光部からの光を遮ることを防止する。これにより、光量の低下を防止することができる。
【００１０】
また、本発明の好ましい態様としては、所定の一方向は、鉛直方向であることが望ましい。照明器具からの照明光や日射光等の外光は、通常、上から下に向かって鉛直方向に進むことが考えられる。反射面の長手方向を鉛直方向とすることで、鉛直方向に進む外光を観賞者の方向とは異なる方向へ反射することができる。これにより、観賞者の方向とは異なる方向へ外光を反射し、コントラストの低下を低減することができる。
【００１１】
また、本発明の好ましい態様としては、反射面と基準平面とがなす角度をθ（ラジアン）、角度変換部を構成する部材の屈折率をｎ、とすると、以下の式（１）を満足することが望ましい。
｛ａｓｉｎ（１／ｎ）｝／２＋π／４＜θ＜π／２    （１）
【００１２】
反射面の角度を式（１）により限定することで、出射側から反射面に入射した外光を発光部又は他の反射面に進行させる。反射面で反射した光のうち発光部へ進行する光について、例えば発光部に低反射電極を設けることで、出射側への進行を低減することができる。また、反射面から他の反射面へ進行し、次第に発光部側へ進行する光は、反射面間での反射を繰り返すうちに光量を減衰させることができる。このようにして、出射側から反射面に入射した外光が直接又は少ない反射回数で出射することを防ぐことができる。
【００１３】
反射面で３回以上反射する外光については、反射面における反射を繰り返すことにより光量を減衰させる。また、出射側から発光部に直接入射する外光については、例えば発光部に低反射電極を設けることで、出射側へ進行する外光を減少させることができる。これにより、観賞者の方向へ進行する外光を減少させ、コントラストの低下を低減可能な表示素子を得られる。
【００１４】
また、本発明の好ましい態様としては、発光部は、出射側から発光部の方向へ進行する光の反射率が所定値以下である低反射部を有することが望ましい。発光部に低反射部を設けることにより、発光部から観賞者の方向へ反射する外光を減少させる。これにより、コントラストの低下を低減することができる。
【００１５】
また、本発明の好ましい態様としては、角度変換部の出射側に、特定の振動方向の偏光光を選択的に透過する偏光板を有することが望ましい。偏光板を設けると、外光のうち特定の振動方向の偏光光のみが表示素子に入射する。例えば偏光板の発光部側に位相板を設けると、表示素子に入射した偏光光は、位相板で振動方向が変換される。位相板で特定の振動方向とは異なる他の振動方向に変換された偏光光は、偏光板を透過せず遮蔽される。偏光板を設けると、出射側へ進行する外光を減少させることができる。これにより、観賞者の方向へ進行する外光を減少させ、コントラストの低下を低減することができる。
【００１６】
また、本発明の好ましい態様としては、角度変換部は、反射面の出射側の位置に、光を吸収する光吸収部を有することが望ましい。ある表示素子に設けられる反射面と、その表示素子に隣り合う表示素子に設けられる反射面とは、それぞれ出射側の位置で接することで稜線部が形成される。この稜線部の位置に光吸収部を設けることで、稜線部に入射する外光の反射を防止する。稜線部に入射する外光の反射を防ぐことにより、観賞者の方向へ反射する外光を減少させ、コントラストの低下を低減できる。また、反射面どうしが接する稜線部に光吸収部を設けるため、光吸収部による表示光の吸収を少なくすることもできる。これにより、外光のみを効率良く吸収可能な構成にでき、コントラストの低下を低減することができる。
【発明を実施するための最良の形態】
【００１７】
以下に図面を参照して、本発明の実施例を詳細に説明する。
【実施例１】
【００１８】
図１は、実施例１に係る表示装置１００の要部斜視構成を示す。表示装置１００は、本発明に係る表示素子である有機ＥＬ素子で構成される、有機ＥＬディスプレイである。各色光用発光部１２０Ｒ、１２０Ｇ、１２０Ｂは、基板１１２面である基準平面ＳＳ上に設けられている。Ｒ光用発光部１２０Ｒは、赤色光（以下、「Ｒ光」という。）を供給する。Ｇ光用発光部１２０Ｇは、緑色光（以下、「Ｇ光」という。）を供給する。Ｂ光用発光部１２０Ｂは、青色光（以下、「Ｂ光」という。）を供給する。各色光用発光部１２０Ｒ、１２０Ｇ、１２０Ｂの間には、それぞれバンク１０９が設けられている。バンク１０９は、各色光用発光部１２０Ｒ、１２０Ｇ、１２０Ｂ同士を仕切る仕切部である。
【００１９】
各色光用発光部１２０Ｒ、１２０Ｇ、１２０Ｂ及びバンク１０９の上には、角度変換部１１０が設けられている。角度変換部１１０は、屈折率ｎの透明部材で構成された平行平板である。角度変換部１１０のうちバンク１０９と接する部分には、構造体１０４が形成されている。構造体１０４は、所定の一方向であるＹ方向に長手方向を有する反射面によって形成されている。
【００２０】
図２は、表示装置１００の要部上面構成を示す。構造体１０４は、所定の一方向であるＹ方向に長手方向を有する。構造体１０４は、ある有機ＥＬ素子に対して設けられる反射面と、隣り合う有機ＥＬ素子に対して設けられる反射面とが、それぞれ出射側の位置で接することで形成される構造体である。角度変換部１１０は、所定の一方向であるＹ方向に長手方向を有する反射面を有する。
【００２１】
図１に戻って、角度変換部１１０は、基板１１２とは反対側の一面全体に、出射面１０７を有する。出射面１０７は、基準平面ＳＳに略平行な平面である。ここで、有機ＥＬ素子の一単位は、各色光用発光部１２０Ｒ、１２０Ｇ、１２０Ｂと、その発光部に対応する部分の角度変換部１１０とで構成される。表示装置１００は、画素に対応して配列する複数の有機ＥＬ素子から構成されている。
【００２２】
各色光用発光部１２０Ｒ、１２０Ｇ、１２０Ｂは、詳細には、互いに対向する２つの電極層と、電極層間に設けられた機能層とを有する。機能層は、外部電源を用いて２つの電極層の間に電圧を印加することにより光を供給する。２つの電極層のうちの一方は、有機ＥＬ素子ごとに設けられた不図示のＴＦＴ回路に接続されている。表示装置１００は、各種配線により各ＴＦＴ回路に電気的にアクセスすることで各有機ＥＬ素子を駆動する、いわゆるアクティブマトリクス方式によって画像を表示する。
【００２３】
図３は、表示装置１００の要部断面構成を示す。各色光発光部１２０Ｒ、１２０Ｇ、１２０Ｂは、基板１１２と接する部分に低反射電極１２１を備える。低反射電極１２１は、出射面１０７側から発光部１２０Ｒ、１２０Ｇ、１２０Ｂの方向へ進行する光の反射率が所定値以下である低反射部である。低反射電極１２１は、例えば、チタンの上にＩＴＯを積層して構成することができる。低反射電極１２１は、各発光部１２０Ｒ、１２０Ｇ、１２０Ｂから観賞者の方向へ反射する外光を減少させるために設けられている。
【００２４】
反射面２０５は、各発光部１２０Ｒ、１２０Ｇ、１２０Ｂの周辺に設けられた面であって、基準平面ＳＳに対して所定の角度をなす略平面状の傾斜面である。例えば、Ｒ光用発光部１２０Ｒの周辺に設けられた反射面２０５と、Ｇ光用発光部１２０Ｇの周辺に設けられた反射面２０５とは、出射面１０７側の位置で接している。このように、互いに隣接する反射面２０５同士が出射面１０７側の位置で接することにより、構造体１０４が形成されている。
【００２５】
また、構造体１０４を構成する２つの反射面２０５は、バンク１０９の上に設けられている。このように、構造体１０４は、２つの反射面２０５及びバンク１０９により構成される。反射面２０５は、金属部材で構成されている。反射面２０５は、例えば、金属薄膜の成膜や蒸着によって形成できる。反射面２０５は、例えばアルミニウムや銀等の高反射性の金属部材で構成することができる。構造体１０４の内部は、空隙としても良く、接着剤を充填することとしても良い。反射面２０５は、金属部材で構成することで、各発光部１２０Ｒ、１２０Ｇ、１２０Ｂからの光を反射することができる。
【００２６】
例えば、Ｒ光用発光部１２０Ｒから、基準平面ＳＳに対して垂直に近い向きで供給されたＲ光は、そのままの進行方向で進行した後、出射面１０７から出射する。また、Ｒ光用発光部１２０Ｒから斜めに供給されたＲ光は、反射面２０５で反射した後、出射面１０７から出射する。角度変換部１１０は、反射面２０５へ入射する各発光部１２０Ｒ、１２０Ｇ、１２０Ｂからの光を出射面１０７の方向へ反射することで角度変換する。
【００２７】
各発光部１２０Ｒ、１２０Ｇ、１２０Ｂから斜めに進行する光は、出射面１０７に対する光の入射角度が臨界角以下となるような角度変換を受ける。角度変換部１１０は、各発光部１２０Ｒ、１２０Ｇ、１２０Ｂからの光を角度変換することで、出射面１０７での全反射の発生を低減する。表示装置１００は、角度変換部１１０を設けることにより、各発光部１２０Ｒ、１２０Ｇ、１２０Ｂからの光を効率良く外部へ取り出すことができる。
【００２８】
図４は、外光環境下における表示装置１００の使用例を示す。例えば室内の天井に設けられた照明器具４０１は、鉛直下方向へ照明光を供給している。表示装置１００には、照明器具４０１からの照明光である外光Ｌが、鉛直上方向から照射している。表示装置１００は、各有機ＥＬ素子の出射面１０７（図１参照）を観賞者側に向けて、壁面やスタンド等に設置されている。表示装置１００は、反射面２０５の長手方向を示す軸Ｘｙが、鉛直方向、即ちＹ軸に略平行となるように設置されている。
【００２９】
図５は、表示装置１００に入射した外光Ｌが入射する方向と反射する方向とを説明するものである。軸Ｘｘは、ＸＹ平面上にて軸Ｘｙに直交する軸である。軸Ｘｘは、水平方向、即ちＸ軸に略平行な方向である。ここでは、表示装置１００へ入射する外光Ｌを、軸Ｘｙ方向の成分Ｌｙと、軸Ｘｘ方向の成分Ｌｘとに分けて説明を行うものとする。表示装置１００で反射した外光Ｌ’についても外光Ｌの場合と同様に、軸Ｘｙ方向の成分Ｌｙ’と、軸Ｘｘ方向の成分Ｌｘ’とに分けることができる。
【００３０】
反射面２０５が軸Ｘｙに沿って長手方向を有することから、外光Ｌは、軸Ｘｙ方向の成分Ｌｙ−Ｌｙ’については、入射角と略同一の反射角で反射する。これに対して、軸Ｘｘ方向の成分Ｌｘ−Ｌｘ’については、入射角に対して反射角が大きく変化する。また、表示装置１００に入射する外光Ｌは、表示装置１００の上側から下側へ向かうことから、成分Ｌｘに比べて成分Ｌｙが多いといえる。従って、表示装置１００は、外光Ｌの多くを観賞者の方向とは異なる鉛直下方向へ反射する。
【００３１】
このように、所定の一方向に長手方向を有する反射面２０５を表示素子に設けることで、所定の向きで進行する外光について、反射する方向をコントロールすることができる。このようにして、観賞者の方向とは異なる方向へ外光を反射し、画像のコントラストの低下を低減できる。また、角度変換部１１０により各発光部１２０Ｒ、１２０Ｇ、１２０Ｂからの光を角度変換することで、出射面１０７での全反射によって各発光部１２０Ｒ、１２０Ｇ、１２０Ｂからの光が表示素子に取り込まれることを防ぎ、光を効率良く出射できる。
【００３２】
照明器具４０１からの照明光Ｌや日射光等の外光は、通常、上から下に向かって鉛直方向に進むことが考えられる。反射面２０５の長手方向を鉛直方向とすることで、鉛直方向に進む外光を観賞者の方向とは異なる方向へ反射することができる。さらに、低反射電極１２１を設けることで、外部から直接各発光層１２０Ｒ、１２０Ｇ、１２０Ｂへ入射した後観賞者の方向へ進行する外光Ｌを減少させることができる。これにより、発光部からの光を効率良く出射でき、かつコントラストの低下を低減できるという効果を奏する。本発明の有機ＥＬ素子は、特に、明室環境下において画像のコントラストの低下を低減することができる。
【００３３】
角度変換部１１０は、金属部材で構成された反射面２０５を用いる場合に限られない。例えば、反射面２０５として、角度変換部１１０を構成する透明部材と、前記透明部材の屈折率より小さい屈折率の媒質との界面を用いることとしても良い。角度変換部１１０を構成する透明部材の屈折率より小さい屈折率の媒質により構造体１０４の内部を満たすことで、反射面２０５には、屈折率が互いに異なる媒質同士による界面が形成される。この場合、角度変換部１１０は、反射面２０５における全反射により各発光部１２０Ｒ、１２０Ｇ、１２０Ｂからの光を角度変換する。
【００３４】
構造体１０４の内部を満たす媒質としては、例えば、窒素やアルゴン等の、屈折率が略１である気体を用いることができる。反射面２０５は、互いに屈折率が異なる層同士の界面を形成することで、各発光部１２０Ｒ、１２０Ｇ、１２０Ｂからの光を全反射することができる。これにより、発光部からの光を出射側へ反射することで、発光部からの光を角度変換することができる。
【実施例２】
【００３５】
図６は、本発明の実施例２に係る表示装置６００の要部断面構成を示す。上記実施例１の表示装置１００と同一の部分には同一の符号を付し、重複する説明は省略する。本発明の有機ＥＬ素子は、式（１）を満足するように構成されていることを特徴とする。
｛ａｓｉｎ（１／ｎ）｝／２＋π／４＜θ＜π／２    （１）
【００３６】
θは、反射面２０５と基準平面ＳＳとがなす角度（ラジアン）である。ｎは、角度変換部１１０を構成する部材の屈折率である。図６では、角度θは、反射面２０５と、基準平面ＳＳに平行な面との間の角度として示している。例えば、角度変換部１１０の屈折率ｎが１．５であるとすると、反射面２０５は、式（１）により、基準平面ＳＳに対して６５．９°より大きく９０°より小さい角度θで設けることができる。
【００３７】
表示装置６００の有機ＥＬ素子は、基準平面ＳＳに対する反射面２０５の角度を式（１）により限定することで、出射面１０７から反射面２０５に入射した外光Ｌ１を出射面１０７側へ反射させず、例えばＲ光用発光部１２０Ｒの方向へ進行させる。Ｒ光用発光部１２０Ｒの方向へ進行した外光Ｌ１は、Ｒ光用発光部１２０Ｒの低反射電極１２１に入射することで、出射側への進行を低減できる。
【００３８】
外光Ｌ１のほか、出射側から発光部１２０Ｒ、１２０Ｇ、１２０Ｂに入射する外光については、低反射電極１２１を設けることにより、出射側への進行を低減できる。外光Ｌ１より大きい入射角で表示装置６００に入射した外光Ｌ２は、反射面２０５に入射した後、その反射面２０５に対向する他の反射面２０５に入射する。反射面２０５に対して下向きに入射する外光Ｌ２は、反射面２０５間における反射を繰り返すうちに光量が減衰する。
【００３９】
なお、反射面２０５から他の反射面２０５へ進行した光のうち一部の光は、反射面２０５に対して下向きに進行せず出射側へ進行する場合がある。反射面２０５において２回反射した後出射側へ進行する光については、出射面１０７で全反射することにより、再び発光部側へ進行する。反射面２０５で２回反射した後発光部側へ進行する光は、再び反射面２０５等で反射することにより光量を減衰させることができる。
【００４０】
このように、表示装置６００の有機ＥＬ素子は、出射側から反射面２０５に入射した外光が、直接又は少ない反射回数で出射することを防ぐことができる。反射面２０５で３回以上反射する外光については、反射面２０５における反射を繰り返すことにより光量を減衰させる。これにより、観賞者の方向へ進行する外光を減少させ、コントラストの低下を低減することができるという効果を奏する。
【実施例３】
【００４１】
図７は、本発明の実施例３に係る表示装置７００の要部斜視構成を示す。本発明の有機ＥＬ素子は、光吸収部７０７を有することを特徴とする。上記実施例１の表示素子と同一の部分には同一の符号を付し、重複する説明は省略する。構造体７０４は、上記実施例１と同様に、Ｙ方向に長手方向を有する。構造体７０４は、１つの有機ＥＬ素子に対して設けられる反射面２０５と、その有機ＥＬ素子に隣り合う有機ＥＬ素子に設けられる反射面２０５とが出射側の位置で接することで構成されている。構造体７０４は、２つの反射面２０５が接する出射側の位置に稜線部を有する。光吸収部７０７は、構造体７０４の稜線部に設けられている。図７に示す断面構成において、光吸収部７０７は、二等辺三角形形状の構造体７０４の先端部に設けられている。
【００４２】
光吸収部７０７は、黒色の樹脂部材等、可視光を吸収する性質の部材により構成することができる。出射面１０７から光吸収部７０７に入射した外光Ｌ４は、光吸収部７０７において吸収される。光吸収部７０７を設けることにより、出射側から構造体７０４の稜線部に入射した光が再び出射側へ反射することを防ぐことができる。稜線部に入射する外光の反射を防ぐことにより、外光が出射側へ進行することを低減し、コントラストの低下を低減できる。また、反射面２０５同士が接する稜線部に光吸収部７０７を設けるため、光吸収部７０７による表示光の吸収を少なくすることもできる。これにより、外光のみを吸収可能な構成にでき、コントラストの低下を低減できるという効果を奏する。
【００４３】
なお、光吸収部７０７における表示光の吸収をさらに少なくするためには、光吸収部７０７は、表示光の出射方向、即ちＺ方向への長さをできるだけ短くして設けることが望ましい。光吸収部７０７のＺ方向への長さをできるだけ短くすることにより、各発光部１２０Ｒ、１２０Ｇ、１２０Ｂからの光が光吸収部７０７に入射することを防ぎ、光吸収部７０７における表示光の吸収をさらに少なくすることができる。
【実施例４】
【００４４】
図８は、本発明の実施例４に係る表示装置８００の要部断面構成を示す。本発明の表示素子である有機ＥＬ素子は、偏光板８０１を有することを特徴とする。上記実施例１の表示装置１００と同一の部分には同一の符号を付し、重複する説明は省略する。角度変換部１１０の出射面１０７に、λ／４位相板８０２が設けられている。偏光板８０１は、λ／４位相板８０２の出射側に設けられている。偏光板８０１は、特定の振動方向の偏光光、例えばｐ偏光光を選択的に透過し、特定の振動方向とは異なる他の振動方向の偏光光を吸収する偏光板である。
【００４５】
Ｒ光用発光部８２０Ｒは、Ｒ光を供給する。Ｇ光用発光部８２０Ｇは、Ｇ光を供給する。Ｂ光用発光部８２０Ｂは、Ｂ光を供給する。本実施例の各発光部８２０Ｒ、８２０Ｇ、８２０Ｂは、上記各実施例とは異なり、高反射性部材により形成された反射電極を備える。出射側から表示装置８００に外光が入射する場合、偏光板８０１は、外光のうちｐ偏光成分の光のみを透過する。偏光板８０１を透過したｐ偏光成分の光は、λ／４位相板８０２で直線偏光から円偏光に変換される。そして、円偏光に変換された光は、反射面２０５や各発光部８２０Ｒ、８２０Ｇ、８２０Ｂの反射電極で反射してλ／４位相板８０２に入射する。
【００４６】
λ／４位相板８０２に入射する光のうち円偏光のままの光は、今度はｓ偏光光に変換される。ｓ偏光光に変換されλ／４位相板８０２から出射した光は、偏光板８０１で遮蔽される。表示装置８００は、偏光板８０１を設けることにより、出射側へ進行する外光を減少させることができる。これにより、観賞者の方向へ進行する外光を減少させ、コントラストの低下を低減することができるという効果を奏する。
【００４７】
角度変換部１１０を進行する円偏光は、各発光部８２０Ｒ、８２０Ｇ、８２０Ｂの反射電極や反射面２０５での反射により位相の変化を起こす場合がある。反射電極や反射面２０５での反射により位相が約π／２変化した光は、特定の振動方向の偏光光となって偏光板８０１に入射することが考えられる。特定の振動方向の偏光光となった光は、偏光板８０１を透過して出射側へ進行することでコントラストの低下の原因となる場合が考えられる。
【００４８】
そこで、本実施例の表示装置８００は、上記実施例２の表示装置６００と同様に、基準平面ＳＳに対して所定の角度で反射面２０５を設けることとしても良い。金属薄膜で反射面２０５を構成する場合、反射面２０５で反射する光は、入射角に応じて位相が変化する。反射面２０５から他の反射面２０５へ進行した光は、上記実施例２の説明と同様に、角度変換部１１０の出射面で全反射して発光部側へ進行する。反射面２０５で２回反射した後発光部側へ進行する光は、再び反射面２０５等で反射することにより光量を減衰させることができる。以上から、偏光板８０１で外光を十分除去できない場合であっても、反射面２０５で２回反射して偏光板８０１に入射する光を減少させることができる。
【００４９】
さらに、表示装置８００の有機ＥＬ素子は、反射電極に代えて、各発光部８２０Ｒ、８２０Ｇ、８２０Ｂに低反射電極を設ける構成としても良い。外光は、出射側から直接又は反射面２０５で反射した後各発光部８２０Ｒ、８２０Ｇ、８２０Ｂへ入射する場合が考えられる。低反射電極を設ける構成により、各発光部８２０Ｒ、８２０Ｇ、８２０Ｂから偏光板８０１の方向へ反射する外光を減少させる。これにより、さらに、偏光板８０１を透過して観賞者の方向へ進行する外光を減少させることができる。
【００５０】
なお、上記各実施例の表示装置は、表示素子として有機ＥＬ素子を用いているが、これに限られない。例えば、表示素子としては、無機ＥＬ素子や、発光ダイオード素子（ＬＥＤ）等の固体発光素子を用いても良い。本発明に係る表示素子を用いる表示装置は、電子機器の表示パネルに適用することができる。本発明に係る表示素子を備える表示パネルは、携帯電話機、パーソナルコンピュータ、ワードプロセッサ、携帯型情報機器であるＰＤＡ、テレビ、カーナビゲーション等の電子機器に広く適用することができる。さらに、本発明に係る表示素子は、表示パネル以外に照明装置、電子ペーパー等に適用することもできる。
【産業上の利用可能性】
【００５１】
以上のように、本発明に係る表示素子は、明室環境において映像情報を表示する場合に有用である。
【図面の簡単な説明】
【００５２】
【図１】本発明の実施例１に係る表示装置の要部斜視構成図。
【図２】表示装置の要部上面構成図。
【図３】表示装置の要部断面構成図。
【図４】表示装置の使用例を説明する図。
【図５】表示装置に入射した外光が入射する方向と反射する方向との説明図。
【図６】本発明の実施例２に係る表示装置の要部断面構成図。
【図７】本発明の実施例３に係る表示装置の要部断面構成図。
【図８】本発明の実施例４に係る表示装置の要部断面構成図。
【符号の説明】
【００５３】
１００  表示装置、１０４  構造体、１０７  出射面、１０９  バンク、１１０  角度変換部、１１２  基板、１２０Ｒ  Ｒ光用発光部、１２０Ｇ  Ｇ光用発光部、１２０Ｂ  Ｂ光用発光部、ＳＳ  基準平面、１２１  低反射電極、２０５  反射面、４０１  照明器具、６００  表示装置、７００  表示装置、７０４  構造体、７０７  光吸収部、８００  表示装置、８０１  偏光板、８０２  λ／４位相板、８２０Ｒ  Ｒ光用発光部、８２０Ｇ  Ｇ光用発光部、８２０Ｂ  Ｂ光用発光部
【図１】
2006126311.tif 000003
【図２】
2006126311.tif 000004
【図３】
2006126311.tif 000005
【図４】
2006126311.tif 000006
【図５】
2006126311.tif 000007
【図６】
2006126311.tif 000008
【図７】
2006126311.tif 000009
【図８】
2006126311.tif 000010